(57)【要約】【課題】電子ペンに記憶されている情報を基にガントチャートを生成し、かつ進捗状況のチェックを容易に行うことを目的とする。【解決手段】電子ペン１０１から入力された時刻情報を基に、ガントチャートを生成する情報処理装置１０４であって、前記電子ペンから取得した時刻情報である登録時間時間情報を受信する送受信部１１２と、前記登録時間情報を用いてガントチャートを生成する際、前記受信した登録時間情報と、文字認識プログラム１２３によって文字認識された情報を時刻情報に変換した認識時刻情報との時間差を算出し、前記時間差が所定の値以上である場合、該当する前記ガントチャートの行を強調表示するガントチャート生成プログラム１２４と、を有することを特徴とする。【選択図】図１
2010072729.tif 000002
【特許請求の範囲】
【請求項１】
電子ペンから入力された時刻情報を基に、ガントチャートを生成する情報処理装置であって、
前記電子ペンから取得した時刻情報である第１の時刻情報を受信する送受信部と、
前記第１の時刻情報を用いて前記ガントチャートを生成する際、前記受信した第１の記憶情報と、記憶部に記憶されている第２の時刻情報との時間差を算出し、前記時間差が所定の値以上である場合、該当する前記ガントチャートの行を強調表示するガントチャート生成部と、
を有することを特徴とする情報処理装置。
【請求項２】
前記情報処理装置は、
前記電子ペンから送信された軌跡情報より文字認識を行う文字認識部と、
前記文字認識の結果を時刻情報に変換する認識文字変換部と、をさらに有し、
前記第２の時刻情報は、前記認識文字変換部によって変換された時刻情報であることを特徴とする請求項１に記載の情報処理装置。
【請求項３】
前記第１の時刻情報とは、前記電子ペンに備えられているタイマによって記録された前記電子ペンによる帳票への文字記入が行なわれた時刻であることを特徴とする請求項１または請求項２に記載の情報処理装置。
【請求項４】
前記ガントチャートには、帳票に記入された文字の画像である記入イメージが表示されることを特徴とする請求項１から請求項３のいずれか一項に記載の情報処理装置。
【請求項５】
前記ガントチャートに表示されているバーの始点または終点に、該当する前記第１の時刻情報が表示されることを特徴とする請求項１から請求項４のいずれか一項に記載の情報処理装置。
【請求項６】
電子ペンから入力された時刻情報を基に、ガントチャートを生成する情報処理装置によるガントチャート生成方法であって、
前記情報処理装置が、
前記電子ペンから取得した時刻情報である第１の時刻情報を受信し、
前記第１の時刻情報を用いて前記ガントチャートを生成する際、前記受信した第１の時刻情報と、記憶部に記憶されている第２の時刻情報との時間差を算出し、
前記時間差が、所定の値以上である場合、該当する前記ガントチャートの行を強調表示する、
ことを特徴とするガントチャート生成方法。
【請求項７】
前記第２の時刻情報とは、
前記情報処理装置が、
前記電子ペンから送信された軌跡情報より文字認識を行い、
前記文字認識の結果を時刻情報に変換した時刻情報であることを特徴とする請求項６に記載のガントチャート生成方法。
【請求項８】
前記第１の時刻情報とは、前記電子ペンに備えられているタイマによって記録された前記電子ペンによる帳票への文字記入が行なわれた時刻であることを特徴とする請求項６または請求項７に記載のガントチャート生成方法。
【請求項９】
請求項６から請求項８のいずれか一項に記載のガントチャート生成方法を、コンピュータに実行させることを特徴とするプログラム。
【発明の詳細な説明】
【技術分野】
【０００１】
本発明は、情報処理装置、ガントチャート生成方法およびプログラムに関するものである。
【背景技術】
【０００２】
作業の進捗状況をガントチャートで表示することによって、該進捗状況の管理を容易にする技術が開示されている（例えば、非特許文献１参照）。
また、通常のペン感覚で情報の入力が可能な電子ペンも開示されている（例えば、特許文献１参照）。
【非特許文献１】”ＳｙｎＶｉｚ／ＰＪ”、[online]、２００８年８月７日、株式会社日立東日本ソリューションズ、［平成２０年８月１２日検索］、インターネット<URL:http://www.hitachi-to.co.jp/products/synviz/use/index.html>
【特許文献１】特開２００８−１３９５１２号公報
【発明の開示】
【発明が解決しようとする課題】
【０００３】
しかしながら、特許文献１に記載の技術は、ＰＣ（Personal Computer）や、携帯電話などの端末デバイスを介して進捗状況に関する情報を入力することが一般的である。そのため、これらの端末デバイスを使いこなせない人には利用が困難であることが多い。
また、非特許文献１に記載の電子ペンでは、電子ペン内に記憶されている情報をガントチャートへ利用するための技術に関する記載も示唆もない。
仮に、非特許文献１に記載の電子ペン内に記憶されている情報をガントチャートへ利用したとしても、ユーザが記載した日時情報と、実際に記載した日時情報にずれがないか否かを判定することができない。
【０００４】
前記課題に鑑みて、本発明は、電子ペンに記憶されている情報を基にガントチャートを生成し、かつ進捗状況のチェックを容易に行うことを目的とする。
【課題を解決するための手段】
【０００５】
前記課題を解決するため、本発明は、電子ペンから入力された時刻情報を基に、ガントチャートを生成する情報処理装置であって、前記電子ペンから取得した時刻情報である第１の時刻情報を受信する送受信部と、前記第１の時刻情報を用いて前記ガントチャートを生成する際、前記受信した第１の記憶情報と、記憶部に記憶されている第２の時刻情報との時間差を算出し、前記時間差が所定の値以上である場合、該当する前記ガントチャートの行を強調表示するガントチャート生成部と、を有することを特徴とする。
その他の手段については、後記する実施の形態で述べる。
【発明の効果】
【０００６】
本発明によれば、電子ペンに記憶されている情報を基にガントチャートを生成し、かつ進捗状況のチェックを容易に行うことができる。
【発明を実施するための最良の形態】
【０００７】
以下、本発明の実施の形態を図１〜図１５を用いて説明する。
【０００８】
《システム構成》
図１は、本実施形態に係る情報処理システムの構成例を示す図である。
情報処理システム１は、情報処理装置１０４と、電子ペン１０１と、帳票１００と、ペン端末１０２と、管理端末１０５と、プリンタ１０６と、ペン端末１０２および情報処理装置１０４を接続するネットワーク１０３を有してなる。
情報処理装置１０４は、電子ペン１０１が情報を取得するのに必要である帳票１００をプリンタ１０６に印刷させたり、ペン端末１０２およびネットワーク１０３を介して電子ペン１０１の情報を取得したりする機能を有する。さらに、情報処理装置１０４は、電子ペン１０１から取得した情報を用いてガントチャートを生成し、生成したガントチャートを管理端末１０５のディスプレイなどに表示させる機能を有する。情報処理装置１０４の詳細については、後記して説明する。
【０００９】
管理端末１０５は、情報処理装置１０４のコンソールであり、専用の端末を用いることや、演算手段としてのＣＰＵ、管理端末１０５の動作を実現するプログラムを展開したり、実行中のデータを一時記憶したりするＲＡＭ、前記のプログラムが記憶されるハードディスクドライブ、情報処理装置１０４との通信を行う際に使用するネットワークインタフェースを備える一般的なコンピュータにより具現することもできる。この管理端末１０５を介して、情報処理装置１０４における帳票１００に印刷される情報の設定を行ったり、情報処理装置１０４が出力する情報を表示したりすることができる。
【００１０】
電子ペン１０１は、帳票１００への記入および記入に伴う軌跡情報６００（記入データ）および記入時刻情報の取得を行う機能を有する。電子ペン１０１の詳細については、図２を参照して後記する。
【００１１】
ペン端末１０２は、電子ペン１０１に内蔵された伝送装置１０１６（図２）を介して送信された軌跡情報６００や記入時刻情報を受信し、必要に応じて自身に内蔵する記憶部１２０に記憶する。そして、記憶した軌跡情報６００や記入時刻情報を、所定のタイミングでネットワーク１０３を介して情報処理装置１０４に送信する。このタイミングは、ユーザの指示によってもよく、定期的に行われてもよい。なお、ネットワーク１０３は、ＬＡＮ（Local Area Network）や、ＷＡＮ（Wide Area Network）で構成されている。
なお、電子ペン１０１からペン端末１０２への情報の送信は、電子ペンクレードルという装置（図１では図示せず）を介して行うことが多い。あるいは、ペン端末１０２と電子ペンクレードルとを一体の装置としてもよい。
【００１２】
プリンタ１０６は、情報処理装置１０４からの印刷情報の出力を受けて、帳票１００を印字出力する機能を有する。プリンタ１０６としては、一般的な各種のプリンタを用いることができ、本実施形態のように情報処理装置１０４にローカル接続された構成であっても、ネットワーク１０３に接続され、ネットワーク１０３を介して情報処理装置１０４に接続される構成であってもよい。後者の場合、電子ペン１０１の設置場所近傍にプリンタ１０６を設置して、ユーザが直接プリンタ１０６から出力される帳票１００を受け取ることもできる。
【００１３】
（情報処理装置）
情報処理装置１０４は、ＲＡＭ（Random Access Memory）１１１と、ＣＰＵ（Central Processing Unit）などの演算処理部１１０と、外部装置との情報の送受信を行う送受信部１１２と、記憶部１２０とを有する。演算処理部１１０は、ＲＡＭ１１１、送受信部１１２および記憶部１２０と接続している。
記憶部１２０には、帳票生成プログラム１２１と、軌跡処理プログラム１２２と、文字認識プログラム１２３（文字認識部）と、ガントチャート生成プログラム１２４（認識文字変換部およびガントチャート生成部）と、軌跡情報データベース１２６と、帳票定義データベース１２７と、帳票情報データベース１２９と、ガントチャート用データベース１３０と、ドットパターンデータベース１２８とが記憶されている。
【００１４】
軌跡情報データベース１２６には、電子ペン１０１で取得され、ペン端末１０２からネットワーク１０３を介して送信された軌跡情報６００が記憶されている。軌跡情報６００については、図６を参照して後記する。
【００１５】
帳票定義データベース１２７には、帳票１００に含まれるエリアの属性を定義する帳票定義情報５００が帳票１００の種類毎に記憶されている。帳票定義情報５００については、図５を参照して後記する。
【００１６】
帳票情報データベース１２９には、各帳票１００を構成する各エリアに関連する帳票情報７００が記憶されている。帳票情報７００については、図７を参照して後記する。
【００１７】
ガントチャート用データベース１３０には、電子ペン１０１から取得した情報のうち、ガントチャートの生成に必要なガントチャート用情報８００が記憶されている。ガントチャート用情報８００については、図８を参照して後記する。
【００１８】
ドットパターンデータベース１２８には、特殊なドットパターンが付された平面の画像データが記憶されている。このドットパターンは、平面状の座標をコード化したものであり、この座標を指定することで、平面状の任意の点を指定することができる。
【００１９】
帳票生成プログラム１２１は、帳票定義データベース１２７や、ドットパターンデータベース１２８を用いて帳票情報７００を生成し、帳票情報データベース１２９に記憶した後、帳票情報データベース１２９内の帳票情報７００を印刷して帳票１００を生成する。帳票生成プログラム１２１による処理については、図１０を参照して後記する。
軌跡処理プログラム１２２は、ペン端末１０２およびネットワーク１０３を介して電子ペン１０１から取得した軌跡情報６００から情報を抽出する機能を有する。軌跡処理プログラム１２２による処理については、図１１を参照して後記する。
文字認識プログラム１２３は、ペン端末１０２およびネットワーク１０３を介して電子ペン１０１から取得した軌跡情報６００から文字情報を抽出する機能を有する。文字認識プログラム１２３は、従来公知の様々なアルゴリズムを適用することができる。
ガントチャート生成プログラム１２４は、ガントチャート用データベース１３０に記憶されているガントチャート用情報８００を用いてガントチャートを生成し、管理端末１０５のディスプレイなどに表示させる機能を有する。また、ガントチャート生成プログラム１２４は、文字認識プログラム１２３で文字認識された文字情報を、時刻情報に変換する機能も有する。ガントチャート生成プログラム１２４による処理については、図１２を参照して後記する。
【００２０】
（電子ペン）
図２は、本実施形態に係る電子ペンの構成例を示す図である。
電子ペン１０１は、ユーザによって帳票１００に記入された軌跡情報６００（実際には座標情報）をペン端末１０２に送信する機能を有する。電子ペン１０１は、通常のインクタイプのペン１０１０に加えて帳票１００に印刷されたドットパターンを読み取るためのカメラ１０１１、記入時に電子ペン１０１に作用する筆圧を検出する圧電素子１０１２、カメラ１０１１および圧電素子１０１２からのデータを処理して、記入により移動するペン先の位置をドットパターンと関連付け、軌跡情報６００として生成する処理装置１０１３、生成された軌跡情報６００の蓄積などを行うメモリ１０１４、伝送装置１０１６、電子ペン１０１に電源を供給する電池１０１５、圧電素子１０１２が筆圧を検知した時刻情報（タイムスタンプ）を処理装置１０１３に通知するタイマ１０１７を有する。
【００２１】
伝送装置１０１６は、短距離無線伝送技術の一種であるBluetooth（登録商標）などの通信プロトコルに従い、所定の周波数帯域の電波を利用して情報を送受信する装置があげられるが、その他の無線技術や、無線ＬＡＮ、あるいは優先通信技術の通信プロトコルに従って情報を送受信する装置であってもよい。また、処理装置１０１３は、ＣＰＵやＲＯＭ（Read Only Memory）などの電気・電子回路を含み、電子ペン１０１を統括的に制御する。
【００２２】
電子ペン１０１においては、ユーザが電子ペン１０１により帳票１００上に文字などを書く際に、圧電素子１０１２が、ペン１０１０に与えられる圧力、すなわち筆圧を検出し、圧力信号として処理装置１０１３へ供給し、処理装置１０１３は、この圧力信号に基づいてカメラ１０１１のスイッチオン／オフの切り替えなどを行う。電子ペン１０１は、所定値以上の筆圧が検出されたときに、利用者が記入を開始したと判定して、カメラ１０１１を作動させる。カメラ１０１１は、帳票１００上のドットパターンを読み取り、その情報を処理装置１０１３に供給する。処理装置１０１３は供給された情報から、帳票１００上での電子ペン１０１の位置をＸ／Ｙ座標によって算出する。
【００２３】
処理装置１０１３は、算出したＸ／Ｙ座標を、タイマ１０１７から取得したタイムスタンプ（時刻情報）および当該電子ペン１０１を識別するペンＩＤ（Identification）と関連付け、時系列の軌跡情報６００としてストローク毎のファイル（データ）としてメモリ１０１４に保存する。ここで、ストロークとは、電子ペン１０１の圧電素子１０１２が、所定値以上の筆圧を検出してから、その値が所定値未満の値になるまでの期間であり、具体的には文字の一画にほぼ相当する。処理装置１０１３は、ユーザの動作指示や、電子ペンクレードルに電子ペン１０１を置いたタイミングなどでペン端末１０２に伝送装置１０１６を介して、保存した軌跡情報６００を送信する。
なお、本実施形態に係る技術は、ユーザの記入した軌跡情報６００を時刻情報と共に記憶可能な装置であれば、電子ペン１０１に限らず適用可能である。
【００２４】
《帳票》
図３は、本実施形態に係る帳票の例を示す図である。
帳票１００は、例えば特殊なドットパターンが印刷された用紙を用いることで、電子ペン１０１用の専用紙として機能する。この専用紙は、紙面を所定サイズの格子に区切った場合に、その位置を特定できるようにドットが配置されており、このドットパターンの情報を用いて、帳票１００上における電子ペン１０１のペン先の位置を特定することができる。
帳票１００は、電子ペン１０１によって各情報が記入されるエリアから構成されている。エリアとは、項目ごとの情報が記入される帳票１００上の領域である。例えば、エリア３０１は、作業場所名に関するエリアであり、作業場所名として「作業地点Ａ」という情報が記入されている。つまり、エリアとは、記入される情報と、関連する項目とが結びつけられる領域である。なお、エリアは、記入される情報と、関連する項目とが１対１に結びつけられてもよいし、記入される情報と、この情報に関連する複数の項目とが結び付けられていてもよい。
【００２５】
《ガントチャート画面例》
図４は、本実施形態に係るガントチャート画面の例を示す図である。
図４の例におけるガントチャート画面４００は、作業Ｎｏ．、作業名、記入イメージ、バー表示エリア４０１などを有してなる。
作業Ｎｏ．は、作業毎に付される番号であり、作業名は、作業の名称である。記入イメージは、帳票１００に記入された時間文字のイメージ画像であり、図４の例では、作業開始時刻の記入イメージのみを表示しているが、作業終了時刻の記入イメージも表示してもよい。
【００２６】
バー表示エリア４０１には、該当する作業が行われた期間を示すバー４０２が表示されている。図４において、バーエリア４０１の時刻表示は、該当する列の幅の中心が、表示されている時刻に相当することを示している。例えば、「８：００」が表示されている列の幅の中心が、時刻８：００に相当する。
【００２７】
また、ガントチャート生成プログラム１２４が、バー４０２の始点や、終点などに対し該当する登録時刻情報（図８を参照して後記：第１の時刻情報）を符号４０３のように表示してもよい。このとき、ガントチャート生成プログラム１２４は、すべての登録時刻情報を符号４０３のように表示してもよいし、図４に示すように、特定の始点または終点に該当する登録時刻情報を符号４０３のように表示してもよい。また、これに限らず、ガントチャート生成プログラム１２４は、例えば、帳票に「重要」欄などを設けておき、ここにチェックを記入された項目の登録時刻情報を表示するなどしてもよい。
さらに、マウスポインタを、バー４０２の始点や、終点にあわせると、ガントチャート生成プログラム１２４が、該当する登録時刻情報を符号４０３のように表示してもよい。
この他にも、警告フラグがたっている行のみ、該当する登録時刻情報を符号４０３のように表示してもよい。
なお、ガントチャート画面４００における各表示内容と、電子ペン１０１から取得した情報との関係は後記して説明する。
【００２８】
また、図４に示すガントチャート画面４００では、行４０４が強調表示されている。これは、行４０４において、ユーザが帳票１００に記載した時刻（記入イメージの「１１：１０」）と、電子ペン１０１が取得した時刻（１１：００：００）との間に、所定値以上の差が生じていることを示し、ユーザが記載した日時情報（図８の認識時刻情報：第２の時刻情報）と、実際に記載した日時情報（図８の登録時刻情報）にずれが生じていることを示す。強調表示は、該当する行を所定の色で塗りつぶしたり、点滅させたりすることによって行われる。
【００２９】
《データベース》
次に、図１および図２を参照しつつ、図５から図８に沿って各データベースに記憶されている情報について説明する。
【００３０】
（帳票定義情報）
図５は、本実施形態に係る帳票定義データベースに記憶される帳票定義情報の例を示す図である。
図５に示すように、帳票定義情報５００は、ヘッダとして帳票種別ＩＤ、帳票名、帳票座標および帳票イメージ名が記憶される。帳票種別ＩＤは、帳票種別毎に付される識別子であり、図５では「Ａ１」となっている。帳票名は、帳票１００の名称であり、図５では「進捗情報登録」となっている。帳票名は、予め管理端末１０５などを介して入力されてもよいし、帳票１００に記載された帳票名を電子ペン１０１が読み取り、ペン端末１０２およびネットワーク１０３を介して情報処理装置１０４に送られた帳票名を記憶してもよい。帳票座標は、帳票１００の左上隅を原点とした座標であり、帳票１００の全領域を座標表示したものである。ここでは、（０，０）−（７００，１０００）の範囲内に帳票１００上のすべての領域が含まれていることを示している。帳票イメージ名は、帳票１００の画像データのファイル名が記憶されており、ここでは、○○○．ｇｉｆとなっている。
【００３１】
帳票定義情報５００のデータ本体は、エリアＩＤ、エリア座標、エリア属性および文字認識などを有する。データ本体は、１レコードが１エリアの情報に該当している。
エリアＩＤは、帳票１００上のエリア毎に付される識別子である。エリア座標は、該当するエリアが占める帳票１００上の始点座標と終点座標の対である。エリア属性とは、該当するエリアにおける情報の種類を示す。例えば、エリア属性「表示」は、そのエリアに予め設定された情報表示することを示し、「ガントチャート」は、ガントチャート生成に用いられる情報であることを示し、「文字入力」は、電子ペン１０１を用いて文字が記入されることを示している。なお、エリア属性において、「文字入力」と「ガントチャート」とが併記されているのは、本実施形態では、電子ペン１０１で記入された文字と、記入時に登録された時刻情報とをガントチャートに用いるためである。また、エリア属性において、「文字入力」のみのレコードは、ガントチャートに用いられず帳票情報にのみ格納される情報であることを示している。
文字認識は、電子ペン１０１で記入された文字の認識処理を行うか否かに関する情報であり、「ＹＥＳ」は文字認識を行うことを示し、「ＮＯ」は文字認識を行わないことを示す。なお、エリア属性において「文字入力」と記述されていながら、文字認識が「ＮＯ」となっている箇所は、チェック記号などが記入されるエリアであることを示している。
前記したように帳票定義情報５００は、帳票種別毎に生成される情報である。
【００３２】
（軌跡情報）
図６は、本実施形態に係る軌跡情報データベースに記憶される軌跡情報の例を示す図である。
図６に示すように、軌跡情報６００は、ストローク毎のファイルとして軌跡情報データベース１２６に記憶される。軌跡情報６００は、ヘッダとしてペンＩＤおよび軌跡ＩＤを有する。ペンＩＤは、電子ペン１０１に付される識別子である。図６の例では、ペンＩＤとして「１２３」が付されている。軌跡ＩＤは、ストロークを識別するための識別子であり、図６の例では、「１」が付されている。
【００３３】
軌跡情報６００のデータ本体は、時刻、Ｘ座標およびＹ座標を有している。時間は、帳票１００上の該当するＸ座標およびＹ座標に電子ペン１０１が位置していたことを示す。例えば、レコード６０１を例とすると、時刻「２００６１１１０  ０９１３２３００３」、Ｘ座標「１２１」およびＹ座標「７８０」より、時刻２００６年１１月１０日、９時１３分２３秒００３に、電子ペン１０１が帳票上の（１２１，７８０）に位置していたことを示す。
【００３４】
（帳票情報）
図７は、本実施形態に係る帳票情報データベースに記憶される帳票情報の例を示す図である。
帳票情報７００は、帳票１００毎に帳票情報データベース１２９に記憶される情報である。
帳票情報７００は、ヘッダとして、帳票ＩＤ、帳票種別ＩＤ、ドットパターン割当を有する。帳票ＩＤは、帳票１００毎に付される識別子であり、図７の例では、「Ａ１００３」が割当てられている。帳票種別ＩＤは、図５において説明した帳票種別ＩＤと同様であり、図７の例では「Ａ１」が記憶されている。ドットパターン割当は、帳票１００が割り当てられるドットパターンの平面における始点座標および終点座標である。図７の例では、ドットパターン割当として「（１３５６，１４８９）−（２０５６，２４８９）」が記憶されている。つまり、ドットパターンは、帳票より広い領域を有しており、帳票１００は、このドットパターンの一部の未割当領域（未使用領域）が割り当てられる。ドットパターン割当には、この割り当てられたドットパターンの領域の座標が記憶される。
【００３５】
帳票情報７００のデータ本体は、エリアＩＤ、項目情報、軌跡ＩＤおよび認識結果が、帳票１００におけるエリア毎に記憶されている。
エリアＩＤは、帳票１００上のエリアを識別するための識別子であり、図５のエリアＩＤと同じである。項目情報は、該当するエリアの項目に関する情報を示す。軌跡ＩＤは、該当するエリア内に電子ペン１０１で記入された文字列を軌跡ＩＤの集合で示したものである。軌跡ＩＤは、図６の軌跡情報６００に記憶されている軌跡ＩＤに対応している。認識結果は、軌跡ＩＤを文字認識した結果である。
【００３６】
（ガントチャート用情報）
図８は、本実施形態に係るガントチャート用データベースに記憶されるガントチャート用情報の例を示す図である。
ガントチャート用情報８００は、ヘッダとして帳票種別ＩＤ、帳票名および帳票イメージ名を有している。帳票種別ＩＤは、図５で説明したように帳票１００の種別を識別するための識別子であり、図８の例では「Ａ１」となっている。帳票名は、帳票１００の名称であり、図８の例では「進捗情報登録」となっている。帳票イメージ名には、図５で説明したように帳票１００の画像データのファイル名が記憶されており、ここでは、○○○．ｇｉｆとなっている。
【００３７】
ガントチャート用情報８００のデータ本体は、ガントチャートＩＤ、項目情報、開始終了情報、登録時刻情報、記入イメージ、認識時刻情報および警告フラグを有している。
ガントチャートＩＤは、ガントチャートにおける各バーを識別するための識別子である。項目情報は、図７の項目情報と同様であり、作業名に相当するものである。開始終了情報は、作業の開始・終了を示す情報であり、ガントチャートにおけるバーの始点か終点かを示す情報でもある。登録時刻情報は、電子ペン１０１で帳票１００の記入時にタイムスタンプによって取得された時刻情報であり、電子ペン１０１中のタイマ１０１７（図２）によって取得される情報である。記入イメージは、電子ペン１０１から送られてくる軌跡情報６００（図６）を基に復元される画像イメージであり、ユーザが記入した文字の画像である。認識時刻情報は、軌跡情報６００を基に復元される画像イメージを文字認識し、さらにこれを時刻情報に変換した情報である。例えばレコード８０１では、記入イメージが「９：１５」なので認識時刻情報は、「２００６１１１０  ０９１５０００００」、すなわち「２００６年１１月１０日  ９時１５分０秒」と変換される。なお、年月日は、他のエリア情報から取得される情報である。例えば、帳票中の報告書作成日のエリアに年月日が記入されると、電子ペン１０１のメモリ１０１４に、この年月日が記憶され、必要に応じて時刻情報に対し、この年月日の情報を付加するなどである。警告フラグは、登録時刻情報と、認識時刻情報との間に大きな差があるとき（所定値以上の差があるとき）たてられるフラグである。図８では、登録時刻情報と、認識時刻情報との間に所定値以上の差があるとき、「１」のフラグがたっており、それ以外は空欄となっているが、例えば「０」などを登録してもよい。
【００３８】
《フローチャート》
次に、図１から図８を参照しつつ、図９〜図１２に沿って本実施形態に係るガントチャート生成処理を説明する。なお、図９〜図１２の各処理は、図１において記憶部１２０に記憶されている各プログラム１２１〜１２４が、ＲＡＭ１１１に展開され、ＣＰＵである演算処理部１１０が実行することによって具現化する。なお、図９〜図１２において、帳票定義情報５００は図５を参照し、軌跡情報６００は図６を参照し、帳票情報７００は図７を参照し、ガントチャート用情報８００は図８を参照するものとする。
【００３９】
（全体処理）
図９は、本実施形態に係る情報処理システムの動作手順の概要を示すフローチャートである。なお、図９において、情報処理装置１０４の動作ではない手順については、破線ブロックで示してある。
まず、情報処理装置１０４は、帳票生成プログラム１２１を実行し、管理者が管理端末１０５から入力した帳票１００の種類、帳票１００に予め印刷される情報である帳票印刷データなどを設定し、帳票生成プログラム１２１に渡すことで、帳票生成を行う（Ｓ１０１）。この帳票生成の詳細な手順については、図１０を参照して後記する。
【００４０】
次に、プリンタ１０６から出力された帳票１００に、ユーザが電子ペン１０１で書き込んだデータを電子ペン１０１のメモリ１０１４が軌跡情報６００として記憶する（Ｓ１０２）。ここで、記憶される軌跡情報６００とは、図６で前記したように時刻単位での電子ペン１０１の帳票１００上におけるＸ／Ｙ座標である。
そして、電子ペン１０１に記憶されている軌跡情報６００を、ペン端末１０２が所定の通信路を用いて取り込む（Ｓ１０３）。
【００４１】
次に、ペン端末１０２は、取り込んだ軌跡情報６００を、ネットワーク１０３を介して情報処理装置１０４へ送信する（Ｓ１０４）。情報処理装置１０４は、ペン端末１０２から受信した軌跡情報６００を、自身の記憶部１２０の軌跡情報データベース１２６に記憶する。
【００４２】
続いて、情報処理装置１０４は、軌跡処理プログラム１２２を実行し、記憶した軌跡情報６００に文字認識などの処理を行うことで、帳票１００の各エリアにおけるエリア値の計算や、ガントチャート用情報８００の生成などを行う軌跡情報６００の処理（Ｓ１０５）を実行し、その処理結果を管理端末１０５に表示させる。なお、軌跡情報６００の処理の詳細な手順については、図１１を参照して後記する。
【００４３】
次に、情報処理装置１０４は、ガントチャート生成プログラム１２４を実行し、ガントチャート用データベース１３０のガントチャート用情報８００を基にガントチャートの生成を行う（Ｓ１０６）。なお、ガントチャートの生成の詳細な手順については、図１２を参照して後記する。
【００４４】
そして、情報処理装置１０４は、生成したガントチャートを管理端末１０５に表示させる（Ｓ１０７）。
【００４５】
（帳票生成処理）
図１０は、本実施形態に係る帳票生成処理手順の詳細を示すフローチャートである。なお、図１０における処理は、図９のステップＳ１０１に相当する処理である。
情報処理装置１０４は、管理端末１０５からの起動指示を受けて帳票生成プログラム１２１を起動し、帳票定義データベース１２７に記憶している帳票定義情報５００の帳票イメージ名をキーとして、記憶部１２０から帳票イメージデータをすべて取得して、帳票定義情報５００を選択させる帳票種別選択画面（図示せず）を生成し、管理端末１０５のディスプレイに、この帳票種別選択画面を表示させる（Ｓ２０１）。このとき、帳票生成プログラム１２１は、帳票イメージ名に対応する帳票種別ＩＤも管理端末１０５へ渡す。
【００４６】
帳票生成プログラム１２１は、帳票種別選択画面に、帳票定義情報５００から取得したすべての帳票イメージデータに従って帳票イメージを管理端末１０５の画面上に表示させる。ユーザが、所望の帳票イメージを選択入力すると、管理端末１０５は、選択された帳票イメージの情報（帳票種別ＩＤなど）を情報処理装置１０４へ渡す。
【００４７】
管理端末１０５から帳票種別に関する情報が渡されると、帳票生成プログラム１２１は、帳票定義データベース１２７から帳票種別選択画面で選択された帳票種類に応じた帳票定義情報５００を、帳票種別ＩＤをキーとして取得する（Ｓ２０２）。
次に、帳票生成プログラム１２１は、例えば、連番で採番することにより一意な帳票ＩＤを発行し、ステップＳ２０２で取得した帳票定義情報５００に基づいて帳票情報７００の生成を開始する（Ｓ２０３）。このとき、帳票生成プログラム１２１は、ドットパターンデータベース１２８から帳票定義情報５００の帳票座標（図５）に応じたサイズの未使用のドットパターンの平面の座標を、帳票情報７００のドットパターン割当として割り当てる。
【００４８】
次に、帳票生成プログラム１２１は、ステップＳ２０２で取得した帳票定義情報５００のエリア属性に応じて帳票設定画面（図示せず）を表示する（Ｓ２０４）。本実施形態では、エリア属性が「表示」のエリアについて、このエリアに表示される表示情報の取得などを行うための帳票設定画面を生成し、管理端末１０５のディスプレイに、この帳票設定画面を表示させる。
この帳票設定画面を介して、帳票生成プログラム１２１は、管理端末１０５から入力された各エリアのエリア値を取得して、帳票情報データベース１２９の帳票情報７００に記憶する（Ｓ２０５）。
【００４９】
帳票設定画面には、エリア毎に項目情報が入力されるようになっており、入力された項目情報（エリア値）は、該当するエリアＩＤと対の情報として帳票情報７００のエリアＩＤと、項目情報の欄に記憶される。
【００５０】
次に、帳票生成プログラム１２１は、帳票情報７００のドットパターン割当の項目値に基づいてドットパターンデータベース１２８から、この帳票情報７００に割り当てられたドットパターンを取得し、このドットパターン、帳票イメージおよび表示情報を重ね合わせた帳票印刷データを生成し（Ｓ２０６）、この帳票印刷データをプリンタ１０６に出力する（Ｓ２０７）。帳票イメージは、ステップＳ２０１の段階で選択された帳票イメージである。帳票印刷データを受信したプリンタ１０６は、用紙に帳票印刷データを印刷し、帳票１００の生成が終了する。
【００５１】
（軌跡情報処理手順）
図１１は、本実施形態に係る軌跡情報の処理手順の詳細を示すフローチャートである。なお、図１１の手順は、図９のステップＳ１０５の処理に相当する。
情報処理装置１０４は、ペン端末１０２から軌跡情報６００を取得したタイミングで、軌跡処理プログラム１２２を起動し、取得した軌跡情報６００のＸ／Ｙ座標から、ドットパターン割当が、その座標に対応する帳票情報データベース１２９に記憶された帳票情報７００を特定する（Ｓ３０１）。
そして、この特定された帳票情報７００の帳票種別ＩＤに応じた、帳票定義情報５００（図５）を帳票定義データベース１２７から取得する（Ｓ３０２）。
【００５２】
つぎに軌跡処理プログラム１２２は、取得した帳票定義情報５００に基づいて、帳票１００に記入された軌跡情報６００の認識処理を、帳票１００に含まれるすべてのエリアについて実行する。この処理は、エリアＩＤが連番であれば、この番号順で行ったり、右上のエリアから順番に行ったりしてもよい。
次に、軌跡処理プログラム１２２は、エリアＩＤおよび帳票情報７００の帳票種別ＩＤをキーとして帳票定義情報５００を検索し、処理対象となっているエリアのエリア属性が「表示」であるか否かを判定する（Ｓ３０３）。
ステップＳ３０３の結果、表示である場合（Ｓ３０３→Ｙｅｓ）、このエリアについては処理を行う必要がないため、軌跡処理プログラム１２２は、ステップＳ３１０へ処理を進める。
【００５３】
ステップＳ３０３の結果、表示でない場合（Ｓ３０３→Ｎｏ）、軌跡処理プログラム１２２は、処理対象となっているエリアのエリア属性が「文字入力」であるか否かを判定する（Ｓ３０４）。
ステップＳ３０４の結果、文字入力でない場合（Ｓ３０４→Ｎｏ）、軌跡処理プログラム１２２は、ステップＳ３１０へ処理を進める。
ステップＳ３０４の結果、文字入力である場合（Ｓ３０４→Ｙｅｓ）、軌跡処理プログラム１２２は、軌跡ＩＤをキーとして、このエリアに記入された軌跡情報６００（図６）を取得し、文字認識プログラム１２３を呼び出す。呼び出された文字認識プログラム１２３は、取得した軌跡情報６００に対し文字認識処理を実行し、認識結果を、このエリアのエリア値として帳票情報データベース１２９の帳票情報７００に記憶する（Ｓ３０５）。すなわち、文字認識プログラム１２３は、文字認識の結果を帳票情報７００の認識結果の欄に記憶する。
【００５４】
次に、軌跡処理プログラム１２２は、対象となっているエリアのエリア属性が「ガントチャート」を含むか否かを判定する（Ｓ３０６）。
エリア属性がガントチャートを含まない場合（Ｓ３０６→Ｎｏ）、軌跡処理プログラム１２２は、ステップＳ３１０へ処理を進める。
エリア属性がガントチャートを含む場合（Ｓ３０６→Ｙｅｓ）、軌跡処理プログラム１２２は、軌跡情報６００から時刻情報（登録時刻情報：第１の時刻情報）を取得し、ステップＳ３０５における文字認識の認識結果を時刻情報に変換した認識時刻情報（第２の時刻情報）と、登録時刻情報とを比較する。このとき、取得する登録時刻情報は、軌跡情報６００に記憶されている時間のうち、例えば、最も早い時間を取得する。軌跡処理プログラム１２２は、この比較の結果、登録時刻情報と、認識時刻情報との時間差が予め設定されている所定値以上であるか否かを判定する（Ｓ３０７）。
【００５５】
ステップＳ３０７の結果、時間差が所定値以上である場合（Ｓ３０７→Ｙｅｓ）、軌跡処理プログラム１２２は、警告フラグをたてる処理を行った（Ｓ３０８）上で、ステップＳ３０９の処理へ進む。
ステップＳ３０７の結果、時間差が所定値未満である場合（Ｓ３０７→Ｎｏ）、軌跡処理プログラム１２２は、登録時刻情報や、認識時刻情報などをガントチャート用情報８００に記憶させる（Ｓ３０９）。軌跡処理プログラム１２２が、ステップＳ３０９の段階で記憶させる情報は、登録時刻情報や、認識時刻情報の他に、軌跡処理プログラム１２２が、ガントチャート用情報８００のレコード毎に発行するガントチャートＩＤや、帳票情報７００における項目情報から読み取った項目情報、開始終了情報や、文字認識を行う前の軌跡情報６００の組み合せである記入イメージなどである。また、ステップＳ３０８の処理を行った場合は、警告フラグなどもガントチャート用情報８００に記憶される。なお、警告フラグがたつ条件は、時間差が所定値以上である場合の他にも、予め計画時刻情報を記憶しておき、登録時刻情報と、計画時刻情報との時間差が所定値以上である場合にフラグをたててもよい。
【００５６】
ステップＳ３０９の後、軌跡処理プログラム１２２は、帳票１００上のすべてのエリアについてステップＳ３０３〜Ｓ３０９を実行したか否かを判定する（Ｓ３１０）。
ステップＳ３１０の結果、すべてのエリアについて実行していない場合（Ｓ３１０→Ｎｏ）、軌跡処理プログラム１２２は、ステップＳ３０３へ処理を戻す。
ステップＳ３１０の結果、すべてのエリアについて実行した場合（Ｓ３１０→Ｙｅｓ）、軌跡処理プログラム１２２は、図９の処理へ戻る。
【００５７】
（ガントチャート生成処理）
図１２は、本実施形態に係るガントチャート生成処理手順の詳細を示すフローチャートである。なお、図１２の手順は、図９のステップＳ１０６の処理に相当する。
情報処理装置１０４は、図９のステップＳ１０５が終了したタイミングで、ガントチャート生成プログラム１２４を起動し、ガントチャート用データベース１３０からガントチャート用情報８００の１レコードを取得する（Ｓ４０１）。
そして、ガントチャート生成プログラム１２４は、読み込んだガントチャート用情報８００のレコードにおける警告フラグの欄を参照し、警告フラグがたっているか否かを判定する（Ｓ４０２）。
ステップＳ４０２の結果、警告フラグがたっている場合（Ｓ４０２→Ｙｅｓ）、ガントチャート生成プログラム１２４は、警告表示の処理を行う（Ｓ４０３）。警告表示の処理は、例えば、対応するガントチャートの行を所定の色で強調表示する。なお、ガントチャートの画面例は、図４を参照して前記した通りである。
ステップＳ４０２の結果、警告フラグがたっていない場合（Ｓ４０２→Ｎｏ）、ガントチャート生成プログラム１２４は、通常表示の処理を行う（Ｓ４０４）。ここで、通常表示とは、対応するガントチャートの行をステップＳ４０３で説明したような強調表示を行わずに表示することである。
【００５８】
ステップＳ４０３、Ｓ４０４の処理後、ガントチャート生成プログラム１２４は、すべてのレコードについてステップＳ４０１〜Ｓ４０４の処理を実行したか否かを判定する（Ｓ４０５）。
ステップＳ４０５の結果、すべてのレコードについては実行していないと判定された場合（Ｓ４０５→Ｎｏ）、ガントチャート生成プログラム１２４は、ステップＳ４０１に処理を戻し、ガントチャート用情報８００における次の１レコードを読み込み、ステップＳ４０２以下の処理を行う。
ステップＳ４０５の結果、すべてのレコードについて実行していると判定された場合（Ｓ４０５→Ｙｅｓ）、ガントチャート生成プログラム１２４は、図９の処理へ戻る。
【００５９】
《ガントチャートとガントチャート用情報との関係》
ここで、図４および図８を参照して、ガントチャートとガントチャート用情報８００との関係を説明する。
図４における作業Ｎｏ．は、作業毎に付される番号であり、図８のガントチャートＩＤに対応させてもよい。また、ガントチャート生成プログラム１２４が、作業Ｎｏ．を発行し、この作業Ｎｏ．と、ガントチャートＩＤとを対応付けて記憶してもよい。作業名は、作業の名称であり、図８の項目情報に対応する情報である。記入イメージは、帳票１００に記入された時間文字のイメージ画像であり、図８の記入イメージから取得される情報である。前記したように、図４では、作業開始時刻の記入イメージのみを表示しているが、作業終了時刻の記入イメージも表示してもよい。
【００６０】
バー表示エリア４０１には、前記したように、該当する作業が行われた期間を示すバー４０２が表示されている。該当するバー４０２の始点は、図８の開始終了情報において「開始」となっている登録時刻情報からガントチャート生成プログラム１２４によって決定される。同様に、バー４０２の終点は、図８の「開始終了情報」において「終了」となっている登録時刻情報からガントチャート生成プログラム１２４によって決定される。
【００６１】
また、前記したように、バー４０２の始点や、終点に該当する登録時刻情報を表示されたり、マウスポインタを、バー４０２の始点や、終点にあわせると、符号４０３のように該当する登録時刻情報が表示されたりするが、これは、ガントチャート生成プログラム１２４が、該当する登録時刻情報をガントチャート用情報８００から取得し、符号４０３のように取得した登録時刻情報を表示することによって具現化する。このときの登録時刻情報の取得は、ガントチャート生成プログラム１２４が、作業Ｎｏ．を基にガントチャートＩＤを割り出し、そのガントチャートＩＤをキーとしてガントチャート用情報８００から登録時刻情報を取得することによって行われる。
【００６２】
また、図４に示すガントチャート画面４００では、行４０４が強調表示されているが、これは、前記したようにガントチャート用情報８００において警告フラグがたっていることを示す。
【００６３】
《適用例および効果》
次に、図１３を参照して、本実施形態に係る情報処理システムの適用例および効果について説明する。
図１３は、本実施形態に係る情報処理システムを工事の進捗管理に適用した例を示す図である。
例えば、現場１３０１において、電子ペン１０１および帳票１００を用いて、工事状況の報告書を作成する。電子ペン１０１は、本部１３０２に持ち込まれ（Ｓ１００１）、本部１３０２に設置されている電子ペンクレードルや、ペン端末１０２（図１）を介して、情報処理装置１０４（図１）に電子ペン１０１の情報が取り込まれる。そして、取り込まれた情報を基に、情報処理装置１０４は、ガントチャートを生成し、本部１３０２に設置されている管理端末１０５（図１）にガントチャート画面４００を表示する。なお、ガントチャート画面４００は、図４に示すガントチャート画面４００と同様であるが、見にくさを回避するため、記入イメージの欄を空白にして図示する。本部１３０２の工事管理者は、管理端末１０５に表示されたガントチャート画面４００によって工事の進捗状況を確認し、現場１３０１に対してフィードバックする（Ｓ１００２）。
【００６４】
本実施形態によれば、電子ペン１０１の情報を用いることによって、パソコンや、携帯電話のような複雑な端末デバイスの扱いが困難な人が、従来通りの手書き感覚で入力した情報を、進捗管理のためのガントチャート画面４００として表示することができる。
また、スキャナなどを必要としないため、コストを低くすることもできる。
さらに、電子ペン１０１の情報を用いるため、帳票１００をスキャナなどにかける必要がなく、すばやくかつ正確な情報を情報処理装置１０４に入力することができる。
また、デジタルデータを使用しているため、情報の記憶が容易であり、トラブルが発生した際の記入履歴の追跡が容易である。
さらに、認識時刻情報と、登録時刻情報とを有するため、例えば、不正に記入時間が改ざんされても容易に追跡が可能である。また、図４の行４０４のように、警告表示を行うことによって、問題が生じている作業を管理者に気付かせることができる。
【００６５】
《他の適用例》
次に、図１４および図１５を参照して、図１における情報処理システム１を給食センタに適用した例を示す。
図１４は、本実施形態に係る情報処理システムを給食センタにおける給食管理システムに適用した例を示す図である。
給食管理システム１４００は、入口１４０１に設置された指静脈スキャナ１４１１と、認証コントローラ１４１２と、電気鍵付扉１４１３を有する。認証コントローラ１４１２は、事務室１４０３に設置されているＨＵＢ１４１４を介して情報処理装置１０４ａに接続されている。図１４の例において、情報処理装置１０４ａは、指静脈認証装置の機能を有しているが、別の装置としてもよい。情報処理装置１０４ａには、管理端末１０５が接続されている。調理場１４０２には、帳票１００と、電子ペン１０１とが布置されている。事務室１４０３には、調理場１４０２から持ち込まれた電子ペン１０１の情報を読み取るための電子ペンクレードル１４１５が設置されている。この電子ペンクレードル１４１５は、情報処理装置１０４ａとＵＳＢ（Universal Serial Bus）接続されている。
【００６６】
図１５は、図１４における給食管理システムにおける操作手順を示す模式図である。図１５に示す給食管理システム１４００は、図１４における電子ペンクレードル１４１５や、ＨＵＢ１４１４が省略され、指静脈スキャナ１４１１、認証コントローラ１４１２および指静脈認証装置（情報処理装置１０４ａ）が指静脈認証システム１４２１にまとめられている以外は、図１４と同様である。
まず、入口１４０１において、調理師は、指静脈認証システム１４２１による指静脈認証処理を受ける。
指静脈認証処理の結果、入室ＯＫである場合、電気鍵付扉１４１３から調理師は調理場１４０２へ入る。調理場１４０２には、調理手順や、材料の確認のチェックなどを行う帳票１００と、電子ペン１０１が布置されている。調理師は、材料の確認や、調理の一手順が終了する毎に、電子ペン１０１で帳票１００にチェックや、時刻などを記入する。調理が終了すると、電子ペン１０１は、調理場１４０２から事務室１４０３に帯出される。事務室１４０３において、ペン端末１０２は、電子ペンクレードルなどを介することによって、電子ペン１０１に記憶されている情報を読み取り、読み取った情報を情報処理装置１０４ａへ送る。情報処理装置１０４ａは、図９〜図１２の処理を実行してガントチャートを生成し、生成したガントチャートを管理端末１０５のディスプレイに表示させる。
【００６７】
図１４および図１５に示す給食管理システム１４００によれば、給食における不正な時刻情報の操作などを防止したり、発見を容易にしたりすることができる。
【００６８】
本実施形態では、情報処理システム１を、工事現場および給食管理システムに適用した例を示したが、これに限らず、会社における事務管理や、設備機器のメンテナンス業務や、航空機などのメンテナンス業務や、ビル・住宅などの保守点検記録などに適用してもよい。本実施形態を設備機器のメンテナンス業務に適用した場合、外注に委託した際の作業時間の正当性を確認することができ、航空機のメンテナンス業務に適用した場合も、作業時間の正当性を確認することができる。
また、帳票１００には、特許文献１のように地図情報を記述してもよい。
【図面の簡単な説明】
【００６９】
【図１】本実施形態に係る情報処理システムの構成例を示す図である。
【図２】本実施形態に係る電子ペンの構成例を示す図である。
【図３】本実施形態に係る帳票の例を示す図である。
【図４】本実施形態に係るガントチャート画面の例を示す図である。
【図５】本実施形態に係る帳票定義データベースに記憶される帳票定義情報の例を示す図である。
【図６】本実施形態に係る軌跡情報データベースに記憶される軌跡情報の例を示す図である。
【図７】本実施形態に係る帳票情報データベースに記憶される帳票情報の例を示す図である。
【図８】本実施形態に係るガントチャート用データベースに記憶されるガントチャート用情報の例を示す図である。
【図９】本実施形態に係る情報処理システムの動作手順の概要を示すフローチャートである。
【図１０】本実施形態に係る帳票生成処理手順の詳細を示すフローチャートである。
【図１１】本実施形態に係る軌跡情報の処理手順の詳細を示すフローチャートである。
【図１２】本実施形態に係るガントチャート生成処理手順の詳細を示すフローチャートである。
【図１３】本実施形態に係る情報処理システムを工事の進捗管理に適用した例を示す図である。
【図１４】本実施形態に係る情報処理システムを給食センタにおける給食管理システムに適用した例を示す図である。
【図１５】図１４における給食管理システムにおける操作手順を示す模式図である。
【符号の説明】
【００７０】
１      情報処理システム
１００  帳票
１０１  電子ペン
１０２  ペン端末
１０３  ネットワーク
１０４，１０４ａ  情報処理装置
１０５  管理端末
１０６  プリンタ
１１０  演算処理部
１１２  送受信部
１２０  記憶部
１２１  帳票生成プログラム
１２２  軌跡処理プログラム
１２３  文字認識プログラム（文字認識部）
１２４  ガントチャート生成プログラム（認識文字変換部およびガントチャート生成部）
１２６  軌跡情報データベース
１２７  帳票定義データベース
１２８  ドットパターンデータベース
１２９  帳票情報データベース
１３０  ガントチャート用データベース
４００  ガントチャート画面
５００  帳票定義情報
６００  軌跡情報
７００  帳票情報
８００  ガントチャート用情報
１０１０  ペン
１０１１  カメラ
１０１２  圧電素子
１０１３  処理装置
１０１４  メモリ
１０１５  電池
１０１６  伝送装置
１３０１  現場
１３０２  本部
１４００  給食管理システム
【図１】
2010072729.tif 000003
【図２】
2010072729.tif 000004
【図３】
2010072729.tif 000005
【図４】
2010072729.tif 000006
【図５】
2010072729.tif 000007
【図６】
2010072729.tif 000008
【図７】
2010072729.tif 000009
【図８】
2010072729.tif 000010
【図９】
2010072729.tif 000011
【図１０】
2010072729.tif 000012
【図１１】
2010072729.tif 000013
【図１２】
2010072729.tif 000014
【図１３】
2010072729.tif 000015
【図１４】
2010072729.tif 000016
【図１５】
2010072729.tif 000017